【手続補正書】
【提出日】平成20年8月7日(2008.8.7)
【手続補正１】
【補正対象書類名】特許請求の範囲
【補正対象項目名】全文
【補正方法】変更
【補正の内容】
【特許請求の範囲】
【請求項１】
媒体に液体を塗布するための塗布部材と、前記塗布部材に当接して形成される液体保持空間に液体を保持するための保持部材とを備え、前記塗布部材を回転させることにより、前記液体保持空間内の液体を前記塗布部材を介して前記媒体に塗布する液体塗布手段と、
前記液体を貯蔵するための第１の貯蔵手段と、
前記第１の貯蔵手段と前記液体保持空間を連通するための経路と、
前記第１の貯蔵手段、前記経路および前記液体保持空間を含む流路内で前記液体を流動させるためのポンプと、
前記流路に補給する液体を貯蔵するための第２の貯蔵手段とを備え、
前記第２の貯蔵手段に貯蔵される前記液体は前記ポンプによって前記流路に補給されることを特徴とする液体塗布装置。
【請求項２】
前記経路は、第１の経路と、前記ポンプが配置される第２の経路を含むことを特徴とする請求項１に記載の液体塗布装置。
【請求項３】
前記第２の貯蔵手段と前記第２の経路を連通するための第３の経路を更に備え、
前記第２の貯蔵手段に貯蔵される前記液体は前記第３の経路を介して補給されることを特徴とする請求項２に記載の液体塗布装置。
【請求項４】
前記第２の貯蔵手段と前記第２の経路との連通または当該連通の遮断を選択的に実行可能な切換手段を更に備え、
前記切換手段は、前記第３の経路に配置されることを特徴とする請求項３に記載の液体塗布装置。
【請求項５】
前記第１の貯蔵手段と前記第２の貯蔵手段とを連通するための第４の経路を更に備えることを特徴とする請求項３に記載の液体塗布装置。
【請求項６】
前記第１の貯蔵手段に貯蔵される液体は、前記第４の経路を介して前記第２の貯蔵手段へ回収されることを特徴とする請求項５に記載の液体塗布装置。
【請求項７】
前記第１の貯蔵手段内の前記第４の流路の端部は、前記第１の貯蔵手段内の前記第１の経路の端部よりも、重力方向上側に位置することを特徴とする請求項５に記載の液体塗布装置。
【請求項８】
前記第２の貯蔵手段は、前記第３および第４の流路との連結部以外はほぼ密閉されていることを特徴とする請求項５に記載の液体塗布装置。
【請求項９】
前記第２の貯蔵手段と前記第１の経路を連通するための第３の経路を更に備え、
前記第２の貯蔵手段に貯蔵される前記液体は前記第３の経路を介して補給されることを特徴とする請求項２に記載の液体塗布装置。
【請求項１０】
前記第２の貯蔵手段は交換可能であることを特徴とする請求項１乃至９のいずれかに記載の液体塗布装置。
【請求項１１】
請求項１乃至１０のいずれかに記載の液体塗布装置と、
前記液体塗布装置により前記液体が塗布された媒体に対して、記録ヘッドからインクを吐出して前記媒体に画像を記録する記録手段と、
を備えることを特徴とするインクジェット記録装置。
【請求項１２】
インクジェット記録装置であって、
インクと反応する反応液を記録媒体に塗布するための塗布ローラと、前記塗布ローラに当接して形成される液体保持空間に前記反応液を保持するための保持部材とを備え、前記塗布ローラを回転させることにより、前記液体保持空間内の反応液を前記塗布ローラを介して前記記録媒体に塗布する液体塗布手段と、
前記液体塗布手段により前記反応液が塗布された記録媒体に対してインクを吐出するためのインクジェットヘッドと、
前記反応液を貯蔵するための第１の貯蔵手段と、
前記第１の貯蔵手段と前記液体保持空間を連通するための第１および第２の経路と、
前記第２の経路に配置され、前記第１の貯蔵手段、前記第１の経路、前記第２の経路および前記液体保持空間を含む流路内で前記液体を流動させるためのポンプと、
前記液体を貯蔵するための交換可能な第２の貯蔵手段と、
前記第２の貯蔵手段と前記第２の経路を連通する第３の経路とを備え、
前記第２の貯蔵手段に貯蔵される液体は、前記第３の経路を介して、前記ポンプによって前記第２の経路へ補給されることを特徴とするインクジェット記録装置。
【請求項１３】
前記反応液は、前記インク中の色材を不溶化あるいは凝集させるための成分を含有することを特徴とする請求項１２に記載のインクジェット記録装置。
【手続補正２】
【補正対象書類名】明細書
【補正対象項目名】００１１
【補正方法】変更
【補正の内容】
【００１１】
このような目的を達成するために、本発明は、液体塗布装置であって、媒体に液体を塗布するための塗布部材と、前記塗布部材に当接して形成される液体保持空間に液体を保持するための保持部材とを備え、前記塗布部材を回転させることにより、前記液体保持空間内の液体を前記塗布部材を介して前記媒体に塗布する液体塗布手段と、前記液体を貯蔵するための第１の貯蔵手段と、前記第１の貯蔵手段と前記液体保持空間を連通するための経路と、前記第１の貯蔵手段、前記経路および前記液体保持空間を含む流路内で前記液体を流動させるためのポンプと、前記流路に補給する液体を貯蔵するための第２の貯蔵手段とを備え、前記第２の貯蔵手段に貯蔵される前記液体は前記ポンプによって前記流路に補給されることを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
また、本発明は、インクジェット記録装置であって、請求項１乃至１０のいずれかに記載の液体塗布装置と、前記液体塗布装置により前記液体が塗布された媒体に対して、記録ヘッドからインクを吐出して前記媒体に画像を記録する記録手段と、を備えることを特徴とする。
【手続補正１０】
【補正対象書類名】明細書
【補正対象項目名】００１９
【補正方法】変更
【補正の内容】
【００１９】
また、本発明は、インクジェット記録装置であって、インクと反応する反応液を記録媒体に塗布するための塗布ローラと、前記塗布ローラに当接して形成される液体保持空間に前記反応液を保持するための保持部材とを備え、前記塗布ローラを回転させることにより、前記液体保持空間内の反応液を前記塗布ローラを介して前記記録媒体に塗布する液体塗布手段と、前記液体塗布手段により前記反応液が塗布された記録媒体に対してインクを吐出するためのインクジェットヘッドと、前記反応液を貯蔵するための第１の貯蔵手段と、前記第１の貯蔵手段と前記液体保持空間を連通するための第１および第２の経路と、前記第２の経路に配置され、前記第１の貯蔵手段、前記第１の経路、前記第２の経路および前記液体保持空間を含む流路内で前記液体を流動させるためのポンプと、前記液体を貯蔵するための交換可能な第２の貯蔵手段と、前記第２の貯蔵手段と前記第２の経路を連通する第３の経路とを備え、前記第２の貯蔵手段に貯蔵される液体は、前記第３の経路を介して、前記ポンプによって前記第２の経路へ補給されることを特徴とする。
【手続補正１１】
【補正対象書類名】明細書
【補正対象項目名】００２０
【補正方法】変更
【補正の内容】
【００２０】
本発明によれば、第１貯蔵手段（バッファタンク）と第２貯蔵手段（メインタンク）を設けても、液体移動手段の数を増やす必要は無くなる。よって、装置の部品数を低減することができ、低コスト化、小型化が可能となる。